(57)【要約】【課題】ユーザが意図するタッチ位置を適正に検出することが可能な携帯機器、携帯機器のタッチ位置検出方法およびプログラムを提供する。【解決手段】携帯電話機１は、携帯電話機１を持つ手が右手であるか左手であるかを判定する持ち手判定部１１ａと、タッチ検出部１４により検出されたタッチ領域および持ち手判定部１１ａにより判定された持ち手に基づいて、ディスプレイ３に対するタッチ位置を検出するタッチ位置検出部１１ｂと、を備える。タッチ位置検出部１１ｂは、持ち手の親指側から離れたタッチ領域の境界付近の位置をタッチ位置として検出する。【選択図】図２
2015141636.tif 000002
【特許請求の範囲】
【請求項１】
筐体と、
前記筐体に配置された表示部と、
前記表示部に対するタッチ領域を検出するタッチ検出部と、
前記筐体を持つ手が右手であるか左手であるかを判定する持ち手判定部と、
前記タッチ検出部により検出されたタッチ領域および前記持ち手判定部により判定された持ち手に基づいて、前記表示部に対するタッチ位置を検出するタッチ位置検出部と、を備え、
前記タッチ位置検出部は、前記持ち手の親指側から離れた前記タッチ領域の境界付近の位置を前記タッチ位置として検出する、
ことを特徴とする携帯機器。
【請求項２】
請求項１に記載の携帯機器において、
前記タッチ位置検出部は、前記持ち手判定部により持ち手が判定できない場合に、前記タッチ領域の中心付近の位置を前記タッチ位置として検出する、
ことを特徴とする携帯機器。
【請求項３】
請求項１または２に記載の携帯機器において、
前記タッチ位置検出部は、前記表示部の持ち手親指側に設定された基準点から最も離れた前記タッチ領域の境界付近の位置を前記タッチ位置として検出する、
ことを特徴とする携帯機器。
【請求項４】
請求項３に記載の携帯機器において、
前記タッチ位置検出部は、前記タッチ検出部により検出される持ち手親指側のタッチ領域の位置に応じて前記基準点の位置を設定する、
ことを特徴とする携帯機器。
【請求項５】
請求項１または２に記載の携帯機器において、
前記タッチ位置検出部は、前記表示部の持ち手親指側の側縁から最も離れた前記タッチ領域の境界付近の位置を前記タッチ位置として検出する、
ことを特徴とする携帯機器。
【請求項６】
請求項１ないし５の何れか一項に記載の携帯機器において、
前記タッチ位置検出部は、少なくとも前記表示部上側の所定領域に対するタッチについて、前記持ち手の親指側から離れた前記タッチ領域の境界付近の位置を前記タッチ位置として検出する、
ことを特徴とする携帯機器。
【請求項７】
請求項１ないし６の何れか一項に記載の携帯機器において、
前記持ち手判定部は、前記表示部の右下および左下にそれぞれ設定された判定領域においてタッチが検出されるか否かに基づいて、前記筐体を持つ手が右手であるか左手であるかを判定する、
ことを特徴とする携帯機器。
【請求項８】
請求項１ないし７の何れか一項に記載の携帯機器において、
前記持ち手判定部は、最も大きい前記タッチ領域が前記表示部の右側縁および左側縁の何れにあるかに基づいて、前記筐体を持つ手が右手であるか左手であるかを判定する、
ことを特徴とする携帯機器。
【請求項９】
請求項１ないし８の何れか一項に記載の携帯機器において、
前記持ち手判定部は、前記タッチ領域の数が前記表示部の右側と左側の何れが多いかに基づいて、前記筐体を持つ手が右手であるか左手であるかを判定する、
ことを特徴とする携帯機器。
【請求項１０】
請求項１ないし９の何れか一項に記載の携帯機器において、
前記持ち手判定部は、前記タッチ領域の傾きおよび当該タッチ領域の位置に基づいて、前記筐体を持つ手が右手であるか左手であるかを判定する、
ことを特徴とする携帯機器。
【請求項１１】
表示部上のタッチ位置を検出する携帯機器のタッチ位置検出方法であって、
前記表示部に対するタッチを検出するステップと、
前記携帯機器を持つ手が右手であるか左手であるかを判定するステップと、
前記表示部に対するタッチ領域および前記持ち手に基づいて、前記表示面に対するタッチ位置を検出するステップと、含み、
前記タッチ位置を検出するステップは、前記持ち手の親指側から離れた前記タッチ領域の境界付近の位置を前記タッチ位置として検出する、
ことを特徴とするタッチ位置検出方法。
【請求項１２】
表示部に対するタッチを検出するタッチ検出部を備えた携帯機器のコンピュータに、
前記携帯機器を持つ手が右手であるか左手であるかを判定する機能と、
前記表示部に対するタッチ領域および前記持ち手に基づいて、前記表示部に対するタッチ位置を検出する機能と、を付与し、
前記タッチ位置を検出する機能は、前記持ち手の親指側から離れた前記タッチ領域の境界付近の位置を前記タッチ位置として検出する、
ことを特徴とするプログラム。
【発明の詳細な説明】
【技術分野】
【０００１】
本発明は、携帯電話機、ＰＤＡ（Personal Digital Assistant）、タブレットＰＣ（Tablet PC）、電子書籍端末、携帯音楽プレーヤ、ポータブルテレビ、ポータブルナビゲーションシステム等の携帯機器に関し、特に、タッチパネルを有する携帯機器に関する。さらに、本発明は、かかる携帯機器に用いることが可能なタッチ位置検出方法およびプログラムに関する。
【背景技術】
【０００２】
従来、筐体の正面にディスプレイが配置された携帯電話機が知られている（たとえば、特許文献１参照）。かかる携帯電話機では、たとえば、略長方形の輪郭を有する筺体の正面に、筺体より僅かに小さい略長方形のディスプレイが配置される。さらに、このディスプレイに重なるようにタッチパネルが配置され、ディスプレイに対するユーザのタッチ操作に基づいて、各種アプリケーションプログラム（以下、単に「アプリケーション」と称する。）が実行される。
【先行技術文献】
【特許文献】
【０００３】
【特許文献１】特開２０１２−２０３８９５号公報
【発明の概要】
【発明が解決しようとする課題】
【０００４】
上記構成の携帯電話機では、携帯電話機を左右何れか一方の手で把持した状態で、ディスプレイに対するタッチ操作が行われる。この場合、ユーザは、持ち手の親指を使ってタッチ操作を行うことがある。その一方、携帯電話機のディスプレイは大型化の傾向にある。このため、上記のように親指でタッチ操作が行われる場合には、親指のつけ根から離れた領域に親指が届きにくく、この領域に対するタッチ操作は、通常、親指を延ばした状態で行われる。しかしながら、このように親指を延ばしてタッチ操作を行うと、ディスプレイに対するタッチ領域が、親指を延ばす方向に長く、且つ、比較的広い範囲に及ぶため、ユーザが意図するタッチ位置を適正に特定する必要がある。
【０００５】
上記課題に鑑み、本発明は、ユーザが意図するタッチ位置を適正に検出することが可能な携帯機器、携帯機器のタッチ位置検出方法およびプログラムを提供することを目的とする。
【課題を解決するための手段】
【０００６】
本発明の第１の態様に係る携帯機器は、筐体と、前記筐体に配置された表示部と、前記表示部に対するタッチを検出するタッチ検出部と、前記筐体を持つ手が右手であるか左手であるかを判定する持ち手判定部と、前記タッチ検出部により検出された前記表示部に対するタッチ領域および前記持ち手判定部により判定された持ち手に基づいて、前記表示部に対するタッチ位置を検出するタッチ位置検出部と、を備える。そして、前記タッチ位置検出部は、前記持ち手の親指側から離れた前記タッチ領域の境界付近の位置を前記タッチ位置として検出する。
【０００７】
本態様に係る携帯機器において、前記タッチ位置検出部は、前記持ち手判定部により持ち手が判定できない場合に、前記タッチ領域の中心付近の位置を前記タッチ位置として検出するよう構成され得る。
【０００８】
本態様に係る携帯機器において、前記タッチ位置検出部は、前記表示部の持ち手親指側に設定された基準点から最も離れた前記タッチ領域の境界付近の位置を前記タッチ位置として検出するよう構成され得る。
【０００９】
この場合、前記タッチ位置検出部は、前記タッチ検出部により検出される持ち手親指側のタッチ領域の位置に応じて前記基準点の位置を設定するよう構成され得る。
【００１０】
また、本態様に係る携帯機器において、前記タッチ位置検出部は、前記表示部の持ち手親指側の側縁から最も離れた前記タッチ領域の境界付近の位置を前記タッチ位置として検出するよう構成され得る。
【００１１】
本態様に係る携帯機器において、前記タッチ位置検出部は、少なくとも前記表示部上側の所定領域に対するタッチについて、前記持ち手の親指側から離れた前記タッチ領域の境界付近の位置を前記タッチ位置として検出するよう構成され得る。
【００１２】
本態様に係る携帯機器において、前記持ち手判定部は、前記表示部の右下および左下にそれぞれ設定された判定領域においてタッチが検出されるか否かに基づいて、前記筐体を持つ手が右手であるか左手であるかを判定するよう構成され得る。
【００１３】
また、本態様に係る携帯機器において、前記持ち手判定部は、最も大きい前記タッチ領域が前記表示部の右側縁および左側縁の何れにあるかに基づいて、前記筐体を持つ手が右手であるか左手であるかを判定するよう構成され得る。
【００１４】
また、本態様に係る携帯機器において、前記持ち手判定部は、前記タッチ領域の数が前記表示部の右側と左側の何れが多いかに基づいて、前記筐体を持つ手が右手であるか左手であるかを判定するよう構成され得る。
【００１５】
また、本態様に係る携帯機器において、前記持ち手判定部は、前記タッチ領域の傾きおよび当該タッチ領域の位置に基づいて、前記筐体を持つ手が右手であるか左手であるかを判定するよう構成され得る。
【００１６】
本発明の第２の態様は、表示部上のタッチ位置を検出する携帯機器のタッチ位置検出方法に関する。本態様に係るタッチ位置検出方法は、前記表示部に対するタッチを検出するステップと、前記携帯機器を持つ手が右手であるか左手であるかを判定するステップと、前記表示部に対するタッチ領域および前記持ち手に基づいて、前記表示部に対するタッチ位置を検出するステップと、含む。ここで、前記タッチ位置を検出するステップは、前記持ち手の親指側から離れた前記タッチ領域の境界付近の位置を前記タッチ位置として検出する。
【００１７】
本発明の第３の態様に係るプログラムは、表示部に対するタッチを検出するタッチ検出部を備えた携帯機器のコンピュータに、前記携帯機器を持つ手が右手であるか左手であるかを判定する機能と、前記表示部に対するタッチ領域および前記持ち手に基づいて、前記表示部に対するタッチ位置を検出する機能と、を付与する。ここで、前記タッチ位置を検出する機能は、前記持ち手の親指側から離れた前記タッチ領域の境界付近の位置を前記タッチ位置として検出する。
【発明の効果】
【００１８】
本発明によれば、ユーザが意図するタッチ位置を適正に検出することが可能な携帯機器、携帯機器のタッチ位置検出方法およびプログラムを提供することができる。
【００１９】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２０】
【図１】実施の形態に係る、携帯電話機の構成を示す図である。
【図２】実施の形態に係る、携帯電話機の全体構成を示すブロック図である。
【図３】実施の形態に係る、ディスプレイに表示される画面と、携帯電話機の持ち方の一例を示す図である。
【図４】実施の形態に係る、携帯電話機が右手で持たれたときと左手で持たれたときのディスプレイ上におけるタッチ領域の一例を模式的に示す図である。
【図５】実施の形態に係る、携帯電話機が左右何れの手で持たれたかを判定する持ち手判定処理を示すフローチャートである。
【図６】実施の形態に係る、ディスプレイに対して持ち手親指でタッチ操作が行われたときのタッチ領域の一例を示す図である。
【図７】実施の形態に係る、タッチ位置の検出方法を説明するための図である。
【図８】実施の形態に係る、ディスプレイに対して持ち手親指でタッチ操作が行われたときのタッチ領域と各タッチ領域に対するタッチ位置を模式的に示す図である。
【図９】実施の形態に係る、タッチ位置の検出処理を示すフローチャートである。
【図１０】変更例１に係る、遠方領域の設定例を示す図である。
【図１１】変更例１に係る、タッチ位置の検出処理を示すフローチャートである。
【図１２】変更例２に係る、基準点の変更方法を説明する図である。
【図１３】変更例３に係る、タッチ位置の検出処理を示すフローチャートである。
【図１４】変更例４に係る、タッチ位置の検出方法を説明する図である。
【図１５】変更例４に係る、タッチ位置の検出方法を説明する図である。
【発明を実施するための形態】
【００２１】
以下、本発明の実施形態について、図面を参照して説明する。
【００２２】
図１（ａ）、（ｂ）、（ｃ）は、それぞれ、携帯電話機１の正面図、背面図および右側面図である。以下、説明の便宜上、図１（ａ）〜（ｃ）に示すように、キャビネット（筐体）２の長手方向を上下方向と定義し、キャビネット２の短手方向を左右方向と定義する。
【００２３】
図１に示されるように、携帯電話機１は、キャビネット２と、ディスプレイ３と、タッチパネル４と、マイクロフォン５と、通話スピーカ６と、外部スピーカ７と、カメラ８とを備えている。
【００２４】
キャビネット２は、正面から見て、ほぼ長方形の輪郭を有する。キャビネット２の正面に、表示領域Ｒが外部に臨むようにディスプレイ３が配されている。ディスプレイ３には、その表示領域Ｒに各種の画像（画面）が表示される。ディスプレイ３は、たとえば、液晶ディスプレイである。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２５】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２６】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２７】
キャビネット２の上部には、背面側にカメラ８が配されている。カメラ８は、ＣＣＤ、ＣＭＯＳセンサ等の撮像素子を含み、被写体を撮影する。
【００２８】
図２は、携帯電話機１の全体構成を示すブロック図である。
【００２９】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９と、撮影部２０とを備えている。
【００３０】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーション（たとえば、ホーム、電話、電子メール、ウェブブラウザ、地図、ゲーム、スケジュール管理、等）を含む。さらに、記憶部１２に記憶されるプログラムは、後述する、持ち手の判定処理およびタッチ位置の検出処理を実行するためのプログラムを含む。これらのプログラムは、メーカによって携帯電話機１の製造時に記憶部１２に記憶される他、ユーザによって通信網やメモリカード、ＣＤ−ＲＯＭ等の記憶媒体を介して記憶部１２に記憶される。
【００３１】
記憶部１２には、プログラムの実行の際、一時的に利用または生成されるデータを記憶するワーキング領域も含まれる。
【００３２】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９、撮影部２０等）を制御する。制御部１１は、記憶部１２に記憶された上述の持ち手判定処理およびタッチ位置検出処理を実行するためのプログラムにより、持ち手判定部１１ａおよびタッチ位置検出部１１ｂとしての機能が付与される。
【００３３】
画像出力部１３は、図１に示すディスプレイ３を含む。画像出力部１３は、制御部１１からの制御信号と画像信号とに基づき、ディスプレイ３に画像（画面）を表示する。
【００３４】
タッチ検出部１４は、図１に示すタッチパネル４を含む。タッチ検出部１４は、図１に示すディスプレイ３へのユーザによるタッチ操作を、タッチパネル４により検出する。すなわち、タッチ検出部１４は、ユーザがディスプレイ３に触れた場合に、タッチパネル４を用いて、ユーザが触れた領域（以下、「タッチ領域」と称する）を検出する。タッチ検出部１４は、検出したタッチ領域を示す信号を制御部１１へ出力する。図１（ａ）に示すように、ディスプレイ３の表示領域Ｒ上には、たとえば、ディスプレイ３の左上の角を原点とし、左右方向をＸ軸、上下方向をＹ軸とする直交座標系が設定されている。ディスプレイ３に指がタッチされると、タッチパネル４は、ディスプレイ３におけるタッチ領域を示す座標値を制御部１１に出力する。
【００３５】
音声入力部１５は、マイクロフォン５を含む。音声入力部１５は、マイクロフォン５からの電気信号を音声処理部１７へ出力する。
【００３６】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００３７】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００３８】
キー入力部１８は、少なくとも１つ以上のハードキーを含む。たとえば、キー入力部１８は、携帯電話機１に電源を投入するための電源キーなどを含む。キー入力部１８は、携帯電話機１に配された各種ハードキー（図示せず）のうち、少なくとも一つのキーが押下されたときに、押下されたハードキーに対応する信号を制御部１１に出力する。
【００３９】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４０】
撮影部２０は、図１（ｂ）に示すカメラ８を含む。撮影部２０は、カメラ８により撮影された画像の画像データに各種の画像処理を施し、画像処理後の画像データを制御部１１に出力する。
【００４１】
図３（ａ）は、ディスプレイ３に表示される画面を説明するための図である。
【００４２】
図３（ａ）に示すように、ディスプレイ３に表示される画面は、ピクト領域ＲＰ、ウィンドウ領域ＲＷおよびキー領域ＲＫにより構成される。ピクト領域ＲＰには、通知バー１０１が表示される。通知バー１０１は、現在時刻１０１ａ、電波の強度を示す強度メータ１０１ｂ、バッテリー残量を示す残量メータ１０１ｃ等を含む。さらに、通知バー１０１は、現在時刻１０１ａ、強度メータ１０１ｂ、残量メータ１０１ｃ以外のユーザに知らされるべきその他の通知情報に対応する通知アイコン１０１ｄを含む。その他の通知情報として、たとえば、電話の不在着信に係る情報（電話番号、発信者名等）、電子メールの新規着信に係る情報（メールアドレス、送信者名等）、アラーム報知の時刻が経過した旨の情報、スケジュールの予定時刻が経過した旨の情報、携帯電話機１の更新に関する情報、携帯電話機１に外部メモリが接続された旨の情報などが挙げられる。ユーザは、通知バー１０１を確認することにより、通知情報を大凡確認することができる。
【００４３】
キー領域ＲＫには、操作キー群１０２が表示される。操作キー群１０２は、設定キー１０２ａ、ホームキー１０２ｂ、およびバックキー１０２ｃから構成されている。設定キー１０２ａは、主に、各種設定を行う設定画面をディスプレイ３に表示させるためのキーである。ホームキー１０２ｂは、主に、ディスプレイ３の表示を他の画面からホーム画面に移行させるためのキーである。バックキー１０２ｃは、主に、実行された処理を１ステップ前の処理に戻すためのキーである。
【００４４】
ウィンドウ領域ＲＷには、アプリケーションが実行されたときの動作画面が表示される。たとえば、ホームのアプリケーションが実行された場合、ウィンドウ領域ＲＷには、ホーム画面が表示される。ホーム画面には、電話、電子メールなど、各種のアプリケーションをディスプレイ３上で（フォアグラウンドで）起動するための起動用アイコンが配列される。また、電話のアプリケーションが実行された場合、ウィンドウ領域ＲＷには、ダイヤル画面、着信一覧画面等が表示される。さらに、ウェブブラウザのアプリケーションが実行された場合、ウィンドウ領域ＲＷには、外部のサーバから取得したデータに基づき、ウェブ画面が表示される。
【００４５】
なお、本実施の形態では、ディスプレイ３の右端の領域ＷＲと左端の領域ＷＬが、アイコンやキー等の操作オブジェクトが配置されない領域として確保されている。これは、携帯電話機１が片手で持たれた場合、親指の付け根へと続く掌の部位（母子球）や、中指等の指先がディスプレイ３の領域ＷＲ、ＷＬに接触するため、この接触によって不所望に操作オブジェクトが操作されることを防ぐためである。
【００４６】
たとえば、図３（ｂ）に示すように携帯電話機１が右手で持たれると、右手の親指の母子球がディスプレイ３の右下の領域に接触し、また、右手の中指、薬指および小指の指先がディスプレイ３の左側縁の領域に接触する。このため、領域ＷＲ、ＷＬにアイコンやキー等の操作オブジェクトが配置されると、これらの部位の接触によって不所望に操作オブジェクトが操作されることが起こり得る。このような不都合を回避するため、本実施の形態では、ディスプレイ３の右端の領域ＷＲと左端の領域ＷＬには、アイコンやキー等の操作オブジェクトが配置されない構成となっている。したがって、ディスプレイ３に対する操作は、領域ＷＲ、ＷＬを除いた中央の操作領域ＲＳにおいて行われる。
【００４７】
また、本実施の形態では、図３（ａ）に示すように、ディスプレイ３の右下の隅と左下の隅に、それぞれ、携帯電話機１を持つ手が右手と左手のどちらであるかを判定するための判定領域ＤＲ、ＤＬが設定されている。なお、図３（ａ）では、判定領域ＤＲ、ＤＬが何れも長方形となっているが、判定領域ＤＲ、ＤＬの形状はこれに限られるものではなく、正方形や円、楕円等、他の形状であっても良い。また、判定領域ＤＲ、ＤＬの幅と長さは適宜調整可能であり、判定領域ＤＲ、ＤＬの下端がディスプレイ３の下側縁から離れていても良い。
【００４８】
図４（ａ）、（ｂ）は、それぞれ、携帯電話機１が右手で持たれたときと左手で持たれたときのディスプレイ上におけるタッチ領域の一例を模式的に示す図である。
【００４９】
携帯電話機１が右手で持たれた場合、図４（ａ）に示すように、右手親指の母子球が接触したタッチ領域ＦＲ１がディスプレイ３の右下に検出され、また、右手の中指、薬指および小指がそれぞれ接触したタッチ領域ＦＲ２、ＦＲ３、ＦＲ４がディスプレイ３の左側縁に検出される。これに対し、携帯電話機１が左手で持たれた場合には、図４（ｂ）に示すように、左手親指の母子球が接触したタッチ領域ＦＬ１がディスプレイ３の左下に検出され、また、左手の中指、薬指および小指がそれぞれ接触したタッチ領域ＦＬ２、ＦＬ３、ＦＬ４がディスプレイ３の右側縁に検出される。このように、携帯電話機１が右手で持たれた場合と左手で持たれた場合とでは、検出されるタッチ領域のパターンが異なる。したがって、このパターンの相違に基づいて、携帯電話機１を持つ手が右手であるか左手であるかを判定することができる。
【００５０】
本実施の形態では、持ち手の判定の際に、３つの判定条件が参照される。各判定条件は、以下のとおりである。
【００５１】
＜判定条件１＞
（１）判定領域ＤＲ、ＤＬのうち判定領域ＤＲのみにタッチ ⇒ 右手
（２）判定領域ＤＲ、ＤＬのうち判定領域ＤＬのみにタッチ ⇒ 左手
【００５２】
＜判定条件２＞
（１）最も大きいタッチ領域がディスプレイ３の右側縁にある ⇒ 右手
（２）最も大きいタッチ領域がディスプレイ３の左側縁にある ⇒ 左手
【００５３】
＜判定条件３＞
（１）タッチ領域の数がディスプレイの左側の方が多い ⇒ 右手
（２）タッチ領域の数がディスプレイの右側の方が多い ⇒ 左手
【００５４】
図４（ａ）では、右手親指の母子球が接触したタッチ領域ＦＲ１が判定領域ＤＲに掛かるため、判定領域ＤＲ、ＤＬのうち判定領域ＤＲのみにタッチが検出される。よって、上記判定条件１の（１）が充足され、携帯電話機１の持ち手が右手であると判定される。また、図４（ａ）では、最大のタッチ領域ＦＲ１がディスプレイ３の右側縁にある。よって、上記判定条件２の（１）が充足され、携帯電話機１の持ち手が右手であると判定される。さらに、図４（ａ）では、右手の中指、薬指および小指がそれぞれ接触した３つのタッチ領域ＦＲ２、ＦＲ３、ＦＲ４がディスプレイ３の左側縁において検出され、ディスプレイ３の右側縁には、右手親指の母子球が接触したタッチ領域ＦＲ１のみが検出される。よって、上記判定条件３の（１）が充足され、携帯電話機１の持ち手が右手であると判定される。
【００５５】
図４（ｂ）では、左手親指の母子球が接触したタッチ領域ＦＬ１が判定領域ＤＬに掛かるため、判定領域ＤＲ、ＤＬのうち判定領域ＤＬのみにタッチが検出される。よって、上記判定条件１の（２）が充足され、携帯電話機１の持ち手が左手であると判定される。また、図４（ｂ）では、最大のタッチ領域ＦＬ１がディスプレイ３の左側縁にある。よって、上記判定条件２の（２）が充足され、携帯電話機１の持ち手が左手であると判定される。さらに、図４（ｂ）では、左手の中指、薬指および小指がそれぞれ接触した３つのタッチ領域ＦＬ２、ＦＬ３、ＦＬ４がディスプレイ３の右側縁において検出され、ディスプレイ３の左側縁には、左手親指の母子球が接触したタッチ領域ＦＬ１のみが検出される。よって、上記判定条件３の（２）が充足され、携帯電話機１の持ち手が右手であると判定される。
【００５６】
このように、上記判定条件１〜３を用いることにより、携帯電話機１の持ち手が右手であるか左手であるかを判定することができる。本実施の形態では、これら判定条件１〜３の何れかが充足されるかによって、携帯電話機１の持ち手が判定される。
【００５７】
図５は、携帯電話機１が左右何れの手で持たれたかを判定する持ち手判定処理を示すフローチャートである。この処理は、携帯電話機１の起動から所定の時間間隔で繰り返し行われる。また、この処理は、制御部１１の持ち手判定部１１ａによって行われる。
【００５８】
持ち手判定部１１ａは、タッチ検出部１４からの信号に基づいて、判定条件１が充足されるか否かを判別する（Ｓ１０１）。判定条件１の（１）、（２）の何れかが充足されると（Ｓ１０１：ＹＥＳ）、充足結果に基づいて、持ち手フラグが設定される（Ｓ１０４）。即ち、判定条件１の（１）が充足されれば、右手を示す持ち手フラグが設定され、判定条件１の（２）が充足されれば、左手を示す持ち手フラグが設定される。
【００５９】
判定条件１の（１）、（２）の何れも充足されない場合（Ｓ１０１：ＮＯ）、持ち手判定部１１ａは、タッチ検出部１４からの信号に基づいて、判定条件２が充足されるか否かを判別し（Ｓ１０２）、判定条件２も充足されなければ（Ｓ１０２：ＮＯ）、さらに、判定条件３が充足されるか否かを判別する（Ｓ１０３）。そして、判定条件２、３の何れかが充足されると（Ｓ１０２：ＹＥＳまたはＳ１０３：ＹＥＳ）、充足結果に基づいて、持ち手フラグが設定される（Ｓ１０４）。他方、判定条件２、３の何れかも充足されないと（Ｓ１０２：ＮＯ、Ｓ１０３：ＮＯ）、持ち手判定部１１ａは、持ち手フラグをリセットして、当該判定処理における持ち手判定を不能と決定する。
【００６０】
図５のフローチャートでは、判定条件１が充足されれば、他の判定条件を評価することなく持ち手判定が行われる。即ち、判定条件１を最優先条件として持ち手判定が行われる。しかし、判定条件２または３を最優先条件としても良く、あるいは、全ての判定条件を評価し、各判定条件の組合せによって持ち手判定が行われても良い。また、判定条件１〜３の何れか一つのみが持ち手判定に用いられても良く、あるいは、判定条件１〜３の２つの組合せが持ち手判定に用いられても良い。この他、判定条件１〜３以外の判定条件に基づいて持ち手判定が行われても良い。
【００６１】
ただし、片手で携帯電話機１を持つ場合は、持ち手の親指の母子球がディスプレイ３の右下または左下に比較的大きな領域で接触することが多いと想定され得る。このため、判定条件１を最優先条件として持ち手判定を行うことで、判定精度を高めることができ、また、判定条件２を２番順位の判定条件とすることで、判定精度を高めることができると考えられる。
【００６２】
ところで、上記構成の携帯電話機１では、携帯電話機１を左右何れか一方の手で把持した状態で、持ち手の親指を使ってディスプレイ３に対するタッチ操作を行うことが想定される。この場合、携帯電話機１のディスプレイ３が大きいと、親指のつけ根から離れた領域に親指が届きにくく、この領域に対するタッチ操作は、通常、親指を延ばした状態で行われる。しかしながら、このように親指を延ばしてタッチ操作が行われると、ディスプレイ３に対するタッチ領域が、親指を延ばす方向に長く、且つ、比較的広い範囲に及ぶようになる。このため、このようなタッチ領域に基づいて、ユーザが意図するタッチ位置を適正に特定することが必要となる。
【００６３】
図６（ａ）は、ディスプレイ３に対し、持ち手である右手の親指でタッチ操作が行われたときのタッチ領域の一例を示す図、図６（ｂ）は、ディスプレイ３に対し、持ち手である左手の親指でタッチ操作が行われたときのタッチ領域の一例を示す図である。
【００６４】
図６（ａ）を参照して、携帯電話機１を右手で持った状態で、右手親指でタッチ操作が行われると、右手親指のタッチ領域ＦＲａは、左側が右側よりも高くなるように傾く。また、この場合、タッチ領域ＦＲａは、親指を延ばす方向に長く、且つ、比較的広い範囲に及ぶ。このような操作では、タッチ領域ＦＲａの中点（たとえば、重心）をディスプレイ３に対するタッチ位置として検出することも可能である。しかしながら、このように親指を大きく延ばしてディスプレイ３にタッチをする場合、通常、ユーザは、親指の先端付近（たとえば、タッチ位置ＴＰ）でディスプレイ３をタッチする意図を持って、タッチ操作を行うものと考えられる。このため、タッチ領域ＦＲａの中点をタッチ位置として検出すると、タッチ領域ＦＲａが長軸方向に長いために、検出されたタッチ位置は、ユーザの意図したタッチ位置ＴＰから大きくずれることになってしまう。こうなると、不所望なアイコンやキーが操作されて、ユーザが意図しない動作が実行されることが起こり得る。この問題は、図６（ｂ）のように、携帯電話機１を左手で持ちながら、左手の親指でタッチ操作が行われる場合も同様に起こり得る。
【００６５】
そこで、本実施の形態では、持ち手の親指側から離れたタッチ領域の境界付近の位置がタッチ位置として検出される。
【００６６】
図７（ａ）、（ｂ）は、本実施の形態におけるタッチ位置の検出方法を説明するための図である。図７（ａ）は、右手で携帯電話機１が持たれたと判定された場合のタッチ位置の検出方法を示し、図７（ｂ）は、左手で携帯電話機１が持たれたと判定された場合のタッチ位置の検出方法を示す。
【００６７】
図７（ａ）に示すように、ディスプレイ３の上下方向の中央位置よりもやや下側に基準線ＢＬが仮想される。右手で携帯電話機１が持たれたと判定された場合には、この基準線ＢＬ上のディスプレイ３の右端位置に基準点ＢＰが設定される。そして、この基準点ＢＰから最も離れたタッチ領域ＦＲａの境界の位置が、タッチ領域ＦＲａに対するタッチ位置ＤＰとして検出される。
【００６８】
また、図７（ｂ）に示すように、左手で携帯電話機１が持たれたと判定された場合には、上述の基準線ＢＬ上のディスプレイ３の左端位置に基準点ＢＰが設定され、この基準点ＢＰから最も離れたタッチ領域ＦＬａの境界の位置が、タッチ領域ＦＬａに対するタッチ位置ＤＰとして検出される。
【００６９】
ここで、基準線ＢＬは、携帯電話機１を片手で持ったときに、持ち手の親指の付け根付近が位置し易い高さに設定されている。持ち手の親指でタッチ操作を行う場合、親指は、親指の付け根を支点として動かされる。このため、上記のように基準線ＢＬが設定されると、基準点ＢＰは、持ち手親指の動作支点付近に位置付けられることとなり、親指のタッチ領域ＦＲａは、基準点ＢＰを中心に回動するようになる。したがって、図７（ａ）に示すように、親指のタッチ領域ＦＲａの長軸が基準点ＢＰを向くようになり、このため、上記のように基準点ＢＰから最も離れたタッチ領域ＦＲａの境界の位置をタッチ位置ＤＰとして検出すると、タッチ領域ＦＲａの先端付近にタッチ位置ＤＰが設定されることになる。
【００７０】
このように、本実施の形態によるタッチ位置ＤＰの検出手法によれば、タッチ領域ＦＲａの先端付近にタッチ位置ＤＰを設定することができ、ユーザが意図するタッチ位置ＴＰと検出されたタッチ位置ＤＰとを略整合させることができる。
【００７１】
図８（ａ）、（ｂ）は、ディスプレイ３に対して持ち手親指でタッチ操作が行われたときのタッチ領域と各タッチ領域に対するタッチ位置を模式的に示す図である。図８（ａ）は、携帯電話機１が右手で持たれた状態を示し、図８（ｂ）は、携帯電話機１が左手で持たれた状態を示す。
【００７２】
図８（ａ）を参照して、携帯電話機１が右手で持たれた場合、基準点ＢＰとは反対側のタッチ領域ＦＲａの端縁付近に、タッチ位置ＤＰが検出される。図８（ｂ）を参照して、携帯電話機１が左手で持たれた場合、基準点ＢＰとは反対側のタッチ領域ＦＲａの端縁付近に、タッチ位置ＤＰが検出される。このように、本実施の形態では、タッチ領域ＦＲａの位置に拘わらず、基準点ＢＰとは反対側のタッチ領域ＦＲａの端縁付近に、タッチ位置ＤＰが検出される。
【００７３】
図９は、タッチ位置の検出処理を示すフローチャートである。この処理は、図５に示す持ち手判定処理と並行して行われる。また、この処理は、携帯電話機１の起動から所定の時間間隔で繰り返し行われる。なお、この処理は、制御部１１のタッチ位置検出部１１ｂによって行われる。
【００７４】
タッチ位置検出部１１ｂは、タッチ検出部１４からの信号に基づき、ディスプレイ３の操作領域ＲＳに対するタッチが検出されたか否かを判定する（Ｓ２０１）。操作領域ＲＳに対するタッチが検出されると（Ｓ２０１：ＹＥＳ）、タッチ位置検出部１１ｂは、持ち手判定部１１ａによって、携帯電話機１を持つ手が左右何れかの手であるかが判定されたか否かを判定する（Ｓ２０２）。具体的には、図５のＳ１０４により持ち手フラグが設定されているかが判定される。Ｓ２０２の判定がＹＥＳであると、タッチ位置検出部１１ｂは、図７を参照して説明した手法により、タッチ領域の、基準点ＢＰとは反対側の端点を、タッチ位置として検出し（Ｓ２０３）、当該処理フローを終了する。
【００７５】
Ｓ２０２の判定がＮＯであると、タッチ位置検出部１１ｂは、タッチ領域の傾きに基づいて、携帯電話機１の持ち手を判定する（Ｓ２０４）。
【００７６】
図８（ａ）を参照して、携帯電話機１の持ち手が右手である場合、基準線ＢＬよりも上側にタッチ領域ＦＲａがあると、タッチ領域ＦＲａは左が高くなるように傾き易く、基準線ＢＬよりも下側にタッチ領域ＦＲａがあると、タッチ領域ＦＲａは右が高くなるように傾き易い。これに対し、携帯電話機１の持ち手が左手である場合には、図８（ｂ）に示すように、基準線ＢＬよりも上側にタッチ領域ＦＬａがあると、タッチ領域ＦＬａは右が高くなるように傾き易く、基準線ＢＬよりも下側にタッチ領域ＦＬａがあると、タッチ領域ＦＬａは左が高くなるように傾き易い。このように、タッチ領域の傾きは、携帯電話機１が右手で持たれている場合と左手で持たれている場合とで、互いに逆方向となる。よって、タッチ領域の位置と傾き方向によって、携帯電話機１の持ち手を判定することができる。なお、タッチ領域の位置は、たとえば、タッチ領域の中点（たとえば重心）とされる。
【００７７】
図９のＳ２０４では、この手法により、携帯電話機１の持ち手が判定される。ただし、この判定手法では、タッチ領域の輪郭が略真円であってタッチ領域に傾きが無い場合や、図８（ａ）、（ｂ）に示すように、タッチ領域ＦＲａ、ＦＬａが基準線ＢＬ付近にあるためタッチ領域ＦＲａ、ＦＬａに略傾きがないような場合には、携帯電話機１の持ち手を判定できない。このような場合、Ｓ２０４における判定は、不能となる。なお、Ｓ２０４の処理は、持ち手判定部１１ａの処理とされても良い。本実施の形態では、持ち手判定部１１ａの機能（Ｓ２０４）が、タッチ位置検出部１１ｂの機能に含められている。
【００７８】
タッチ位置検出部１１ｂは、Ｓ２０４の処理により、携帯電話機１の持ち手を判定できたか否かを判定する（Ｓ２０５）。携帯電話機１の持ち手を判定できた場合（Ｓ２０５：ＹＥＳ）、タッチ位置検出部１１ｂは、Ｓ２０３の処理を実行し、タッチ領域の、基準点ＢＰとは反対側の端点を、タッチ位置として検出する（Ｓ２０３）。他方、携帯電話機１の持ち手を判定できなかった場合、タッチ位置検出部１１ｂは、タッチ領域の中点（たとえば重心）をタッチ位置として検出する（Ｓ２０５）。
【００７９】
なお、上記では、Ｓ２０５の処理において、図８（ａ）、（ｂ）に示すように、タッチ領域ＦＲａ、ＦＬａが基準線ＢＬ付近にあるためタッチ領域ＦＲａ、ＦＬａに略傾きがないような場合には、携帯電話機１の持ち手判定が不能とされた。しかしながら、この場合、図８（ａ）、（ｂ）からも分かるとおり、持ち手が右手であればタッチ領域ＦＲａは中央よりも左側に偏り、持ち手が左手であればタッチ領域ＦＬａは中央よりも右側に偏る傾向がある。Ｓ２０５の処理では、上記手法に加えて、タッチ領域の左右方向の偏り具合に基づいて携帯電話機１の持ち手を判定するようにしても良い。
【００８０】
以上、本実施の形態によれば、持ち手の親指側から離れたタッチ領域の境界付近の位置がタッチ位置として検出されるため、検出されるタッチ位置を、ユーザが意図したタッチ位置付近に設定することができる。このため、不所望なアイコンやキーが操作されて、ユーザが意図しない動作が実行されることを回避でき、携帯電話機１の利便性を高めることができる。
【００８１】
特に、本実施の形態によれば、持ち手親指側に設定された基準点ＢＰから最も離れたタッチ領域の境界付近の位置がタッチ位置として検出されるため、タッチ領域の、持ち手親指と反対側の端点付近にタッチ位置を設定できる。このため、検出されるタッチ位置を、ユーザが意図したタッチ位置に略整合させることができる。
【００８２】
また、本実施の形態によれば、携帯電話機１の持ち手が判定できない場合にも、タッチ領域の中点がタッチ位置として検出されるため、ディスクプレイ３に対する操作入力を円滑に進めることができる。
【００８３】
また、本実施の形態によれば、判定条件１〜３に基づいて携帯電話機１の持ち手が判定されるため、持ち手判定の精度を高めることができる。特に、ユーザが変わっても同様の傾向となり易い判定条件１、２が、判定の際に優先的に参照されるよう、持ち手判定の処理フロー（図５参照）が構成されているため、持ち手判定の精度を高めることができる。また、判定条件１〜３では判定不能な場合にも、タッチ領域の位置および傾きによってさらに持ち手判定がなされるため、持ち手判定の精度をさらに高めることができる。そして、このように精度が高い持ち手判定に基づいて、タッチ位置の検出がなされるため、タッチ位置の検出精度を高めることができる。
【００８４】
なお、携帯電話機１が一方の手で持たれた状態で、他方の手の指でディスプレイ３にタッチする使用形態も想定され得る。本実施の形態では、このような使用形態においても、上記の持ち手判定処理とタッチ位置検出処理が実行される。このような使用形態では、タッチ領域の端部よりもむしろ中点の方が、ユーザが意図するタッチ位置に近いものと想定され得る。しかしながら、この使用形態では、通常、タッチ領域が比較的小さくなるため、上記実施の形態のように、基準点ＢＰと反対側のタッチ領域の端部をタッチ位置として検出したとしても、検出されたタッチ位置とユーザが意図するタッチ位置とが大きくずれることは無い。よって、本実施の形態によれば、このような使用形態においても、円滑なタッチ操作を行うことができる。
【００８５】
以上、本発明の実施の形態について説明したが、本発明は、上記実施の形態等によって何ら制限されるものではなく、また、本発明の実施の形態も、上記以外に種々の変更が可能である。
【００８６】
＜変更例１＞
上記実施の形態では、操作領域ＲＳの全領域に対する操作について、図９によるタッチ位置検出処理が適用された。しかしながら、タッチ領域が長細くなるのは、通常、持ち手親指が届きにくい、ディスプレイ３の上側領域で起こるため、少なくとも持ち手親指が届きにくい遠方領域へのタッチについて、図９によるタッチ位置の検出処理が適用されれば良いとも考えられる。
【００８７】
図１０（ａ）は、遠方領域ＲＦの設定例を示す図である。この例では、操作領域ＲＳの上縁から所定範囲が遠方領域ＲＦに設定されている。
【００８８】
図１１は、本変更例に係るタッチ値検出処理を示すフローチャートである。このフローチャートでは、図９のフローチャートに対し、Ｓ２１１が追加されている。
【００８９】
タッチ位置検出部１１ｂは、遠方領域ＲＦに対するタッチを検出すると、タッチ領域の中点（たとえば重心）が遠方領域ＲＦ内に含まれるか否かを判定する（Ｓ２１１）。Ｓ２１１の判定がＹＥＳの場合、タッチ位置検出部１１ｂは、Ｓ２０２以降の処理を実行し、Ｓ２１１の判定がＮＯの場合、タッチ位置検出部１１ｂは、処理をＳ２０６に進めて、タッチ領域の中点をタッチ位置として検出する。
【００９０】
本変更例によれば、持ち手親指が届き易い領域については、Ｓ２０６により、タッチ領域の中点がタッチ位置として検出される。持ち手親指が届き易い領域では、親指を曲げてディスプレイにタッチがなされるため、タッチ領域は小さく、また、ユーザが意図するタッチ位置は、タッチ領域の先端よりもタッチ領域の中点に近づき易いとも想定され得る。よって、本変更例のように、持ち手親指が届き易い領域についてはタッチ領域の中点をタッチ位置として検出することにより、当該領域に対するタッチについて、ユーザが意図するタッチ位置に、検出されたタッチ位置を近づけ得ることが期待され得る。また、この場合も、持ち手親指が届きにくい遠方領域ＲＦへのタッチについては、上記実施の形態と同様、タッチ領域の先端付近がタッチ位置として検出されるため、当該遠方領域に対するタッチについて、ユーザが意図するタッチ位置に、検出されたタッチ位置を略整合させることができる。
【００９１】
なお、持ち手親指が届き易い領域に対するタッチについては、通常、タッチ領域が小さいので、上記実施の形態のように、タッチ領域の先端付近がタッチ位置として検出されたとしても、検出されたタッチ位置が、ユーザが意図するタッチ位置から大きく離れることはない。よって、上記実施の形態のようにタッチ領域の先端付近をタッチ位置として検出する場合にも、タッチ操作を円滑に進めることができる。
【００９２】
また、遠方領域ＲＦの範囲は、図１０（ａ）の例に限定されるものではなく、検出精度を考慮しながら適宜変更可能である。たとえば、図１０（ｂ）のように、基準線ＢＬ付近まで遠方領域ＲＦを延ばしても良く、右手持ちの場合と左手持ちの場合とで遠方領域ＲＦを切り替えても良い。たとえば、右手持ちの場合には、操作領域ＲＳの左上コーナー付近に遠方領域ＲＦを設定し、左手持ちの場合には、操作領域ＲＳの右上コーナー付近に遠方領域ＲＦを設定しても良い。
【００９３】
さらには、タッチ領域が遠方領域ＲＦから外れると直ちにタッチ位置の検出がＳ２０６の中点検出に切り替わるのではなく、タッチ領域が遠方領域ＲＦから外れても遠方領域ＲＦに接近していれば、タッチ領域の基準点ＢＰと反対側の端部からやや中点よりの位置にタッチ位置を設定し、タッチ領域が遠方領域ＲＦから離れるに従ってタッチ位置を中点に徐々に近づけるようにしても良い。こうすると、タッチ領域が遠方領域ＲＦから外れると直ちにタッチ位置の検出がＳ２０６の中点検出に切り替わる場合に比べて、操作入力の違和感を抑制することができる。
【００９４】
＜変更例２＞
上記実施の形態では、予め基準点ＢＰが設定され、持ち手の状態に応じて基準点ＢＰが変更されることはなかった。しかし、携帯電話機１を持つ位置は、使用状況やユーザの特性に応じて上下方向に変わり得ることが想定され得る。この点を考慮して、本変更例では、携帯電話機１を持つ位置に応じて基準点ＢＰが変更される。
【００９５】
図１２（ａ）、（ｂ）は、基準点ＢＰの変更方法を説明する図である。
【００９６】
本変更例では、持ち手親指の母子球が触れるタッチ領域の上端から所定距離だけ上の位置に、基準点ＢＰが設定される。たとえば、図１２（ａ）のように携帯電話機１が右手で持たれた場合、基準点ＢＰは、右手親指の母子球が触れるタッチ領域ＦＲ１の上端から所定距離だけ上の位置に設定される。また、図１２（ｂ）のように、図１２（ａ）の状態よりも上の位置において携帯電話機１が持たれた場合、基準点ＢＰは、持つ位置の変更に伴って、上側にシフトされる。この場合も、基準点ＢＰは、右手親指の母子球が触れるタッチ領域ＲＦ１の上端から所定距離だけ上の位置に設定される。
【００９７】
ここで、基準点ＢＰは、タッチ領域ＦＲ１の上端から予め決められた距離だけ上の位置に設定される方法の他にも、以下の方法により設定され得る。たとえば、ディスプレイ３を上下方向に２分割するラインを「ハーフライン」とし、このハーフラインとディスプレイ３の持ち手親指側の側縁との交点を「ハーフポイント」とすると、基準点ＢＰは、ハーフポイントとタッチ領域ＲＦ１の上端との間隔を２分割する点よりもタッチ領域ＲＦ１の上端側に設定される。あるいは、タッチ領域ＲＦ１の上端位置に基準点ＢＰが設定されても良い。
【００９８】
なお、本変更例において、持ち手親指の母子球が触れるタッチ領域が検出されない場合には、予め決められたデフォルトの位置に基準点ＢＰが設定される。また、上記の説明では、持ち手の位置に応じてリニアに基準点ＢＰの位置が変更されたが、基準点ＢＰの変更は必ずしもリニアになされなくても良く、持ち手の位置に応じてステップ状に変更されても良い。
【００９９】
本変更例によれば、携帯電話機１を持つ位置が変わると、それに応じて、基準点ＢＰの位置が変更されるため、持つ位置に拘わらず基準点ＢＰを持ち手親指の付け根付近に設定することができる。よって、携帯電話機１がどのように持たれても、タッチ位置を、タッチ領域の基準点ＢＰの反対側の端部付近に設定することができる。
【０１００】
＜変更例３＞
上記実施の形態では、携帯電話機１の持ち手が、図５による判定処理（判定条件１〜３）と、図９のＳ２０４の処理によって判定された。しかしながら、持ち手の判定手法はこれに限られるものではなく、たとえば、図５による判定処理（判定条件１〜３）と、図９のＳ２０４の処理の何れか一方がなされても良い。
【０１０１】
図１３（ａ）は、図５による判定処理（判定条件１〜３）が省略される場合のタッチ位置検出処理を示すフローチャートである。ここでは、図９のＳ２０２の位置にＳ２０４とＳ２０５が挿入されている。なお、この変更例では、図５に示す持ち手判定処理は実行されない。この変更例では、上記実施の形態に比べて、携帯電話機１の持ち手の判定精度が低下する。よって、上記実施の形態に比べて、タッチ位置の検出精度がやや低下することが想定され得る。
【０１０２】
図１３（ｂ）は、図９のＳ２０４による判定処理が省略される場合のタッチ位置検出処理を示すフローチャートである。この変更例では、上記実施の形態と同様、図５に示す持ち手判定処理が実行される。この場合、上記実施の形態に比べて携帯電話機１の持ち手の判定精度がやや低下すると想定される。よって、上記実施の形態のように、Ｓ２０４による判定処理を追加するのが望ましいと思われる。
【０１０３】
なお、持ち手判定処理としてどの処理を有効にするかを、ユーザが適宜選択および設定できるようにしても良い。この場合、たとえば図９のＳ２０４による判定処理のみが有効と設定された場合には、図３（ａ）に示す領域ＷＲ、ＷＬを省略し、これらの領域ＷＲ、ＷＬにもアイコン等を配置して、操作入力が可能とされても良い。こうすると、アイコン等の配置領域を広げることができ、ディスプレイ３上により多くのオブジェクトを表示することができる。
【０１０４】
＜変更例４＞
上記実施の形態では、たとえば図１４（ａ）に示すように、タッチ領域の、基準点ＢＰから最も離れた境界位置に、タッチ位置ＤＰが設定されたが、タッチ位置の設定方法は、これに限られるものではない。たとえば、図１４（ｂ）に示すように、タッチ領域の、基準点ＢＰから最も離れた境界位置から基準点ＢＰに近づく方向にやや戻った位置に、タッチ位置ＤＰが設定されても良い。あるいは、図１４（ｃ）に示すように、タッチ領域の、基準点から最も離れた境界位置から基準点ＢＰから離れる方向にやや進んだ位置に、タッチ位置ＤＰが設定されても良い。タッチ位置は、タッチ領域の、基準点ＢＰに対して反対側の端部付近に設定されれば良い。
【０１０５】
＜変更例５＞
上記実施の形態では、基準点ＢＰに基づいてタッチ位置が設定されたが、タッチ位置の設定方法は、必ずしもこれに限られるものではない。たとえば、図１５（ａ）、（ｂ）に示すように、持ち手親指側のディスプレイ３の側縁ＢＥから最も離れたタッチ領域の境界位置に、タッチ位置ＤＰが設定されても良い。この手法によれば、上記実施の形態に比べて、検出されたタッチ位置が、ユーザが意図するタッチ位置からややずれることが想定され得る。しかし、図１５（ａ）、（ｂ）に示すように、この手法によっても、タッチ位置は、タッチ領域の、基準点ＢＰに対して反対側の端部付近に設定されるため、ユーザが意図するタッチ位置と検出されたタッチ位置とを互いに近接させることができる。
【０１０６】
＜その他の変更例＞
本発明は、携帯電話機に限られず、ＰＤＡ（Personal Digital Assistant）、タブレットＰＣ（Tablet PC）、電子書籍端末、携帯音楽プレーヤ、ポータブルテレビ、ポータブルナビゲーションシステム等の各種の携帯機器に適用可能である。
【０１０７】
この他、本発明の実施形態は、特許請求の範囲に示された技術的思想の範囲内において、適宜、種々の変更が可能である。
【符号の説明】
【０１０８】
２  キャビネット
３  ディスプレイ
４  タッチパネル
１１  制御部
１１ａ  持ち手判定部
１１ｂ  タッチ位置検出部
１４  タッチ検出部
ＤＲ  判定領域
ＤＬ  判定領域
ＲＳ  操作領域
ＲＦ  遠方領域
【図１】
2015141636.tif 000003
【図２】
2015141636.tif 000004
【図３】
2015141636.tif 000005
【図４】
2015141636.tif 000006
【図５】
2015141636.tif 000007
【図６】
2015141636.tif 000008
【図７】
2015141636.tif 000009
【図８】
2015141636.tif 000010
【図９】
2015141636.tif 000011
【図１０】
2015141636.tif 000012
【図１１】
2015141636.tif 000013
【図１２】
2015141636.tif 000014
【図１３】
2015141636.tif 000015
【図１４】
2015141636.tif 000016
【図１５】
2015141636.tif 000017